(57)【要約】【課題】  吸気ファンの空気の導入部で生ずる騒音を低減し、必要な吸気流量を確保する。又、吸気ファンの空気の導入部で生ずる衝撃を和らげ、不用意な動作に基づく怪我の発生を防止する。【解決手段】  本考案の吸気ファン用サイレンサー６１は吸気ファン１１の吸気口３５に対して接続される円筒形状をした吸気ボックス６３と、上記吸気ボックス６３の周胴部６５に対して接線方向に延びるように接続される導入管路６７とを具備し、導入管路６７内に導かれた粉塵Ｂ等を含んだ空気Ａが吸気ボックス６３の周胴部６５における内壁面６９に沿って流れ、吸気ファン１１の回転方向と同方向の旋回流となって吸気ファン１１の吸気口３５に流入するように構成した。【選択図】  図７
0003121901.tif 000002
【実用新案登録請求の範囲】
【請求項１】
吸気ファンの吸気口に対して接続される円筒形状をした吸気ボックスと、
上記吸気ボックスの周胴部に対して接線方向に延びるように接続される導入管路と、を具備しており、
上記導入管路内に導かれた粉塵等を含んだ空気は吸気ボックスの周胴部における内壁面に沿って流れ、吸気ファンの回転方向と同方向の旋回流となって吸気ファンの吸気口に流入するように構成したことを特徴とする吸気ファン用サイレンサー。
【請求項２】
請求項１に記載の吸気ファン用サイレンサーにおいて、
上記吸気ボックス内には導入管路から導かれた上記空気が効率良く吸気ファンの吸気口に流れ込むように上記旋回流を整える整流板が設けられていることを特徴とする吸気ファン用サイレンサー。
【請求項３】
請求項２に記載の吸気ファン用サイレンサーにおいて、
上記整流板は不用意に身体の一部が上記導入管路内に進入したとしても、上記身体の一部が吸気ファンの吸気口内に進入できないようにする位置に設けられていることを特徴とする吸気ファン用サイレンサー。
【請求項４】
請求項３記載の吸気ファン用サイレンサーにおいて、
上記該整流板は矩形平板状をした部材によって構成されており、上記導入管路と吸気ボックスの内側の接続部付近に一端が接続され、他端が上記旋回流に沿う方向に湾曲した形状にて設けられていることを特徴とする吸気ファン用サイレンサー。
【請求項５】
回転軸を中心に外部の空気を取り込む方向に回転する回転羽根と、
上記回転羽根を回転駆動する駆動手段と、
上記回転羽根を被覆すると共に、吸気口から流入した空気を排気口に導くファンケーシングとを具備した吸気ファンにおいて、
上記吸気ファンの吸気口には請求項１〜４の何れかに記載の吸気ファン用サイレンサーが設けられていることを特徴とする吸気ファン。
【請求項６】
ドラムと、
上記ドラムに着脱可能に取り付けられ吸引されたアスベスト等の粉塵を含んだ空気が内側から外側に通過することによりアスベスト等の粉塵を内側に分離させるフィルタと、
上記ドラムに着脱可能に取り付けられ上記フィルタによって分離されたアスベスト等の粉塵を収容する袋体と、
上記ドラムに接続されアスベスト等の粉塵を含んだ空気を吸引して上記フィルタ内に供給すると共に吸引した粉塵中の粉塵塊を粉砕する吸気ファンとを具備したアスベスト等粉塵用集塵機において、
上記吸気ファンの吸気口には請求項１〜４の何れかに記載の吸気ファン用サイレンサーが設けられていることを特徴とするアスベスト等粉塵用集塵機。
【考案の詳細な説明】
【技術分野】
【０００１】
本考案は、外部の空気が吸気ファン内に急激に取り込まれることによって生ずる騒音を効率良く、吸気ファンの吸気流量を損なうことなく低減することができる吸気ファン用サイレンサーに係り、特に、アスベスト等の粉塵塊を含んだ空気の吸引に使用される吸気ファンや該吸気ファンを備えたアスベスト等粉塵用集塵機に好適な吸気ファン用サイレンサー、該吸気ファン用サイレンサーを備えた吸気ファン及び該吸気ファン用サイレンサーを備えたアスベスト等粉塵用集塵機に関するものである。
【背景技術】
【０００２】
従来から種々の用途で吸気ファン１０１が使用されている。吸気ファン１０１は図１３（ａ）（ｂ）に示すように回転軸１０３と、回転軸１０３に対して取り付けられる回転羽根１０５と、回転羽根１０５を回転駆動する駆動手段としての図示しないモータと、上記回転羽根１０５を被覆するファンケーシング１０７とを具備している。
又、ファンケーシング１０７における回転軸１０３の軸方向の一方の端面１０９には吸気口１１１が形成されており、該吸気口１１１には上記回転軸１０３の軸方向に直線的に延びる円筒状の導入管路１１３が接続されている。
【０００３】
そして外部の空気は図中矢印で示すように上記導入管路１１３からファンケーシング１０７内に至り、吸気ファン１０１の回転軸１０３の存する中心部に向けて勢いよく直線的に流れ込む。ファンケーシング１０７の中心部に流れ込んだ空気は回転羽根１０５に衝突し、強制的に流れる方向を変えられて上記回転軸１０３と直交する放射線方向外周に向けて流れ、ファンケーシング１０７の周胴部１１５の内壁面に案内されて、該周胴部１１５に形成されている排気口１１７から他の装置のケーシング内あるいは室内外に排出される。
【０００４】
この場合、空気の流れが急激に変わるファンケーシング１０７の中心部では急激な圧力変動によって生ずる圧力騒音や流入した空気が回転羽根１０５に衝突することによって生ずる衝突騒音あるいは気流の乱れや衝突によって発生した渦流によって生ずる乱流騒音が発生し問題になっていた。そこで従来は吸気ファン１０１の吸気口１１１に対して吸音材を設けて吸音し、上記騒音の大きさを小さくしていた。しかし吸気ファンの吸気流量の低下という問題もあって該吸音材のみによっては上記騒音を所定のレベルまで効果的に低減させることはできず、効果的な騒音低減効果を発揮し得る吸気ファン用サイレンサーの開発が望まれていた。
【０００５】
一方、従来から建築物の天井や壁面に断熱材等としてアスベストが多く吹き付けられている。アスベストが発癌性物質として広く知られるようになった近時においては、建築物の天井や壁面に吹き付けられたアスベストの老朽化によって生ずる飛散を防止するために吹き付けられたアスベストの除去、回収作業が急務な課題となっている。
そこで最近では下記の特許文献１に示すような集塵機が用いられるようになってきており、建築物の天井や壁面に吹き付けられたアスベストの除去、回収作業の効率化と作業の安全性の確保とが図られている。
【０００６】
そしてこのような集塵機にも上記のような吸気ファンが設けられている。しかし吸気ファンによって吸引される空気中にはアスベスト粉塵が含まれており、該アスベスト粉塵が塊状になったアスベスト粉塵塊が存在する場合には、吸気ファンの回転羽根に勢いよく上記アスベスト粉塵塊が衝突することによって回転羽根を破損させるおそれがあった。
また上記吸気ファンにはアスベスト粉塵塊やその他の異物が付着、堆積する場合があり、該付着、堆積したアスベスト粉塵塊を取り除くために誤って、吸気ファンを回転駆動させたままの状態で身体の一部である手を導入管路内に入れる場合があった。しかし誤って導入管路内に入れた手が吸気ファンの回転羽根に到達し、該回転羽根に触れた場合には大きな事故につながることが予想され、吸気ファンの構造上の安全対策も緊急且つ重要な課題として指摘されていた。
【特許文献１】特開２００４−２７５８００号公報
【考案の開示】
【考案が解決しようとする課題】
【０００７】
上記背景技術及び背景技術が抱えていた問題点を踏まえて本考案が解決しようとする課題を整理すると、吸気ファンの吸気流量を低下させることなく所望の騒音低減効果を発揮し得る吸気ファン用サイレンサーを開発することである。また上記吸気ファン用サイレンサーをアスベストの除去、回収現場で使用されている集塵機に適用することによってアスベスト粉塵塊が勢いよく吸気ファンの回転羽根に衝突することによって生ずる回転羽根の破損を防止すると共に、不用意に導入管路内に身体の一部を入れたとしても回転羽根に触れる心配のない安全な吸気ファン及びアスベスト等粉塵用集塵機を提供することである。
【０００８】
本考案はこのような点に基づいてなされたものでその目的とするところは、騒音の発生原因である吸気ファンの空気の導入部での急激な空気の流れの変化を防止することで騒音を小さくでき、しかも吸気ファンの必要な吸気流量を確保し得ると共に、アスベスト粉塵塊の回転羽根への衝突の際の衝突を和らげ、作業員が不用意に導入管路内に身体の一部を入れたとしても全く回転羽根に触れる心配のない安全な吸気ファン用サイレンサー、該吸気ファン用サイレンサーを備えた吸気ファン及び該吸気ファン用サイレンサーを備えたアスベスト等粉塵用集塵機を提供することにある。
【課題を解決するための手段】
【０００９】
上記目的を達成するべく本願考案の請求項１による吸気ファン用サイレンサーは、吸気ファンの吸気口に対して接続される円筒形状をした吸気ボックスと、上記吸気ボックスの周胴部に対して接線方向に延びるように接続される導入管路とを具備しており、上記導入管路内に導かれた粉塵等を含んだ空気は吸気ボックスの周胴部における内壁面に沿って流れ、吸気ファンの回転方向と同方向の旋回流となって吸気ファンの吸気口に流入するように構成したことを特徴とするものである。
又、請求項２による吸気ファン用サイレンサーは、請求項１に記載の吸気ファン用サイレンサーにおいて、上記吸気ボックス内には導入管路から導かれた上記空気が効率良く吸気ファンの吸気口に流れ込むように上記旋回流を整える整流板が設けられていることを特徴とするものである。
又、請求項３による吸気ファン用サイレンサーは、請求項２に記載の吸気ファン用サイレンサーにおいて、上記整流板は不用意に身体の一部が上記導入管路内に進入したとしても、上記身体の一部が吸気ファンの吸気口内に進入できないようにする位置に設けられていることを特徴とするものである。
又、請求項４による吸気ファン用サイレンサーは、請求項３記載の吸気ファン用サイレンサーにおいて、上記該整流板は矩形平板状をした部材によって構成されており、上記導入管路と吸気ボックスの内側の接続部付近に一端が接続され、他端が上記旋回流に沿う方向に湾曲した形状にて設けられていることを特徴とするものである。
又、請求項５による吸気ファンは、回転軸を中心に外部の空気を取り込む方向に回転する回転羽根と、上記回転羽根を回転駆動する駆動手段と、上記回転羽根を被覆すると共に、吸気口から流入した空気を排気口に導くファンケーシングとを具備した吸気ファンにおいて、上記吸気ファンの吸気口には請求項１〜４の何れかに記載の吸気ファン用サイレンサーが設けられていることを特徴とするものである。
又、請求項６によるアスベスト等粉塵用集塵機は、ドラムと、上記ドラムに着脱可能に取り付けられ吸引されたアスベスト等の粉塵を含んだ空気が内側から外側に通過することによりアスベスト等の粉塵を内側に分離させるフィルタと、上記ドラムに着脱可能に取り付けられ上記フィルタによって分離されたアスベスト等の粉塵を収容する袋体と、上記ドラムに接続されアスベスト等の粉塵を含んだ空気を吸引して上記フィルタ内に供給すると共に吸引した粉塵中の粉塵塊を粉砕する吸気ファンとを具備したアスベスト等粉塵用集塵機において、上記吸気ファンの吸気口には請求項１〜４の何れかに記載の吸気ファン用サイレンサーが設けられていることを特徴とするものである。
【考案の効果】
【００１０】
したがって、本考案による吸気ファン用サイレンサーによると、吸気ファンの吸気口に対して接続される円筒形状をした吸気ボックスと、上記吸気ボックスの周胴部に対して接線方向に延びるように接続される導入管路とを具備しており、上記導入管路内に導かれた粉塵等を含んだ空気は吸気ボックスの周胴部における内壁面に沿って流れ、吸気ファンの回転方向と同方向の旋回流となって吸気口に流入するように構成されているので、吸気ファンの吸気口から吸気ファン内に流れ込んだ空気は急激に変化することなく、滑らかに吸気ファンの回転方向に沿って流れるようになる。したがって、上記圧力騒音、衝突騒音及び乱流騒音のレベルは格段に小さくなる。
又、吸気ファンの吸気口には吸音材が設けられていないから、吸音材を設けることによって生ずる吸気ファンの吸気流量の低下も生じないし、アスベスト粉塵塊等の吸気口からの吸気ファン内への進入が可能になるからアスベスト等粉塵用集塵機への適用が可能になる。
又、上記吸気ボックス内には導入管路から導かれた上記空気が効率良く吸気ファンの吸気口に流れ込むように上記旋回流を整える整流板が設けられている場合には、吸気ボックス内での遠心力の発生が防止され、吸気ボックス中心部での気圧の低下が生じないから吸気ファンの所望の風景と静圧が維持されるようになる。
又、上記整流板は不用意に身体の一部が上記導入管路内に進入したとしても、上記身体の一部が吸気ファンの吸気口内に進入できないようにする位置に設けられている場合には、作業者が吸気ファンの回転羽根に付着、堆積したアスベスト等の粉塵等を取り除こうとして不用意に導入管路内に手を入れたとしても、作業者の手が回転羽根に触れる心配はないから、回転羽根との接触による怪我の発生が未然に防止される。また身体の一部の吸気ファン内への進入を防止する手段として整流板を利用しているから、部品の有効利用が図られ、部品点数の削減にも寄与し得る。
又、上記該整流板は矩形平板状をした部材によって構成されており、上記導入管路と吸気ボックスの内側の接続部付近に一端が接続され、他端が上記旋回流に沿う方向に湾曲した形状にて設けた場合には、理想的な整流効果を発揮しつつ不用意な手の侵入を確実に防止することができる。
又、本考案による吸気ファンによると、回転軸を中心に外部の空気を取り込む方向に回転する回転羽根と、上記回転羽根を回転駆動する駆動手段と、上記回転羽根を被覆すると共に、吸気口から流入した空気を排気口に導くファンケーシングとを具備しており、上記吸気ファンの吸気口には請求項１〜３の何れかに記載の吸気ファン用サイレンサーが設けられているので、吸気ファンの吸気口からファンケーシング内に流れ込んだ空気は回転羽根の回転による旋回流に乗って滑らかに搬送されて排気口に導かれる。したがって、上記圧力騒音、衝突騒音及び乱流騒音のレベルが格段に小さくなり、騒音が極めて小さな吸気ファンを提供できるようになる。
又、本考案によるアスベスト等粉塵用集塵機によると、ドラムと、上記ドラムに着脱可能に取り付けられ吸引されたアスベスト等の粉塵を含んだ空気が内側から外側に通過することによりアスベスト等の粉塵を内側に分離させるフィルタと、上記ドラムに着脱可能に取り付けられ上記フィルタによって分離されたアスベスト等の粉塵を収容する袋体と、上記ドラムに接続されアスベスト等の粉塵を含んだ空気を吸引して上記フィルタ内に供給すると共に吸引した粉塵中の粉塵塊を粉砕する吸気ファンとを具備しており、上記吸気ファンの吸気口には請求項１〜３の何れかに記載の吸気ファン用サイレンサーが設けられているので、騒音が小さく、吸気ファンの必要な吸気流量を確保することができ、しかもアスベスト粉塵塊が回転羽根に衝突したとしても回転羽根の破損の心配がなく、作業者が不用意に導入管路内へ手を入れたとしても怪我の心配のない安全で快適に使用できるアスベスト等粉塵用集塵機を提供することが可能になる。
【考案を実施するための最良の形態】
【００１１】
以下、図１乃至図６を参照して最初に本考案のアスベスト等粉塵用集塵機１及び吸気ファン１１の一実施の形態における基本的な構成とその作動態様について説明し、次いで図７乃至図１２を参照して上記アスベスト等粉塵用集塵機１の特徴的構成である本考案の吸気ファン用サイレンサー６１の一実施の形態における具体的構成と作動態様について説明する。
（１）アスベスト等粉塵用集塵機と吸気ファンの基本的な構成と作動態様
本実施の形態によるアスベスト等粉塵用集塵機１はアスベスト等の有害物質が吹き付けられた壁面や天井等からアスベスト等を剥離して除去するアスベスト等の除去、回収作業現場や上記アスベスト等を使用した壁面や天井等を有する建物の解体、改修作業現場等において使用される。又、上記作業現場の大きさに応じて作業現場の適宜の個所に複数台のアスベスト等粉塵用集塵機１を配置してアスベスト等の除去、回収作業が実行される。
【００１２】
アスベスト等粉塵用集塵機１は、集塵機枠体３に対して設けられるドラム５と、ドラム５の上方に着脱可能に設けられるフィルタ７と、ドラム５の下方において着脱可能に設けられる袋体９と、集塵機枠体３に設置される吸気ファン１１とを具備している。
上記ドラム５は、図５に示すように、上面及び底面が開放された短寸の円筒状の部材で周胴部１３の適宜の位置には接線方向に延びる流入ダクト１５が設けられている。
【００１３】
上記ドラム５の上面には上方から見て一例として円形の開口部１７が設けられており、ドラム５の上方に設けられる上記フィルタ７への連通口となっている。又、上記ドラム５の底面には口径の異なる２つの取付筒部が同心円状に設けられている。２つの取付筒部は口径の大きな大筒部１９と口径の小さな小筒部２１によって構成されており、大筒部１９の長さは短く、小筒部２１の長さは大筒部１９より長く、下方に突出するように形成されている。
【００１４】
上記フィルタ７は一例としてフェルトによって形成される袋状の部材で、上記ドラム５に対して着脱可能に取り付けられている。
尚、フィルタ７自体としてもある程度の保形性を有しており、上記ドラム５上に取り付けられた状態で起立姿勢を保つことができるが、図示のアスベスト等粉塵用集塵機１にあっては上記ドラム５の周胴部１３から門型をした吊持アーム２３が別途立ち上げられており、吊持アーム２３の水平部２５の中央下面に設けられる吊下げフック２７によって上記フィルタ７は吊持されることによってフィルタ７の起立姿勢が保たれている。
そしてこのフィルタ７は吸引されたアスベスト等の粉塵Ｂを含んだ空気Ａが内側から外側に通過することによりアスベスト等の粉塵Ｂを内側に留めて分離する機能を有している。
【００１５】
上記袋体９は上記フィルタ７によって分離されたアスベスト等の粉塵Ｂを収容する袋状の部材である。そして袋体９の口径が大きいものについては上記ドラム５の大筒部１９に図示しないバンド等を使用して取り付けられ、袋体９の口径が小さいものについては上記ドラム５の小筒部２１に同じく図示しないバンド等を使用して取り付けられる。
【００１６】
上記吸気ファン１１はアスベスト等の粉塵Ｂを含んだ空気Ａを吸引して上記フィルタ７内に供給する部材である。又、本発実施の形態では吸引した粉塵Ｂの中に含まれる粉塵塊Ｇを粉砕する機能を吸気ファン１１は併せ持っている。
具体的には吸気ファン１１は複数枚のプレート状の回転羽根２９が放射状に配設されたプレートファンによって一例として構成されており、各回転羽根２９には上記粉塵塊Ｇを粉砕するためのエッジ部３１が設けられている。
尚、図示の実施の形態では吸気ファン１１のエッジ部３１の形状を中心内側に向かって比較的大きく（例えば鋭角に）直線的に傾斜させた形状としている。
【００１７】
又、上記吸気ファン１１の駆動は吸気ファン１１の背面側に設けられる駆動手段の一例であるモータ３３により行われており、吸気ファン１１の周囲には吸気ファン１１を覆うように短寸の円筒状の部材を横に倒した形状のファンケーシング３７が設けられている。
そして該ファンケーシング３７の前面のほぼ中心には円形の吸気口３５が形成されており、該吸気口３５には後述する本考案の吸気ファン用サイレンサー６１が接続されている。またファンケーシング３７の上面隅部には排気口３８が設けられており、ファンケーシング３７の接線方向上方に向けて上記ドラム５の流入ダクト１５に接続される中継ダクト３９が設けられている。
【００１８】
又、本考案の吸気ファン用サイレンサー６１の吸気側には吸込配管具４１が着脱可能に取り付けられている。吸込配管具４１は上方に向けて９０°湾曲している筒状の配管部４３と、配管部４３の先端部に上向きで設けられるラッパ状に拡大された吸込部４５とを備えている。上記配管部４３は、例えば、蛇腹状に構成されていて、天上近くまで延長させることができるように構成されており、それによって、上記吸込部４５を天上近くまで延長・配置させることができるように構成されている。
又、吸気ファン１１の排気側に設けられる中継ダクト３９の途中にはサイレンサー４９が取り付けられている。
【００１９】
又、上記ドラム５、フィルタ７、袋体９、吸気ファン１１を含む諸部材は移動台車５１上に設置されている。移動台車５１は水平状態で設けられる平板状の載置部５３と、載置部５３の底面のコーナー部に１つずつ計４個設けられるキャスタ５５と、上記載置部５３の吸気ファン１１側の端部寄りの上面から立ち上げられている門型をした移動用取手５７とを備えている。
又、上記中継ダクト３９の途中に設けられるサイレンサー４９の側面には起動、停止の切り替え、吸気ファン１１の吸気量の調節等を司るコントロールボックス５８が設けられている。
【００２０】
次にこのようにして構成される本実施の形態に係るアスベスト等粉塵用集塵機１の作動態様について説明する。
コントロールボックス５８の蓋を開けてコントロールボックス５８内のスイッチ５９を押して吸気ファン１１を起動し、吸気ファン１１の吸気量を所定の値に設定する。これにより吸気ファン１１の回転羽根２９が高速で回転するようになる。そして、図１に示すように、作業員は一方の手で吸込部４５を掴み、他方の手で作業具を使用しながらアスベストを剥して行き、それを上記吸込部４５内に落下、吸引させる。それらの作業によって、天井や壁面から剥離されたアスベストの粉塵塊Ｇの一部と、作業空間内を浮遊するアスベストの粉塵Ｂを含んだ空気Ａは吸込部４５及び配管部４３を介して本考案の吸気ファン用サイレンサー６１、そして吸気ファン１１に向けて勢い良く吸い込まれていく。
【００２１】
吸気ファン１１に達したアスベストの粉塵塊Ｇは吸気ファン１１の回転羽根２９におけるエッジ部３１に衝突し粉砕され微細な粉塵Ｂとなって、他の粉塵Ｂ及び空気Ａと共に中継ダクト３９、流入ダクト１５を通ってドラム５内に移送される。
そしてドラム５内に移送されたアスベストの粉塵Ｂを含んだ空気Ａはドラム５から上方のフィルタ７に向かう螺線状の旋回流となって上方に吹き上げられ、粉塵Ｂは遠心分離されて落下するとともにフィルタ７によって捕集され、該粉塵Ｂが取り除かれた空気Ａのみがフィルタ７を通過してフィルタ７の内側から外側に排出される。
一方、フィルタ７によって捕集されたアスベストの粉塵Ｂは下方に落下してドラム５の下方の取付筒部１９、２１に取り付けられている袋体９内に収容されて回収される。
【００２２】
（２）吸気ファン用サイレンサーの具体的構成と作動態様
本実施の形態による吸気ファン用サイレンサー６１は上記吸気ファン１１の吸気口３５に対して接続される径の大きな円筒形状をした吸気ボックス６３と、上記吸気ボックス６３の周胴部６５に対して接線方向に延びるように接続される径の小さな円筒形状をした導入管路６７とを具備している。そして導入管路６７内に導かれた粉塵Ｂ等を含んだ空気Ａは吸気ボックス６３の周胴部６５における内壁面６９に沿って流れ、吸気ファン１１の回転方向と同方向の旋回流となって吸気ファン１１の吸気口３５に流入するように構成されている。
【００２３】
又、上記吸気ボックス６３内には導入管路６７から導かれた空気Ａが効率良く吸気ファン１１の吸気口３５に流れ込むように上記旋回流を整える整流板７１が設けられている。該整流板７１は一例として矩形平板状をした部材によって構成されており、上記導入管路６７と吸気ボックス６３の内側の接続部付近に一端が接続され、他端が上記旋回流に沿う方向に湾曲した形状になっている。
又、上記部位に整流板７１を設けることによって作業者が不用意に身体の一部、例えば手を上記導入管路６７内に入れたとしても、上記整流板７１に邪魔されて吸気ファン１１の吸気口３５内に進入できないようになっている。
【００２４】
そしてこのような構成の吸気ファン用サイレンサー６１の導入管路６７に対して粉塵Ｂを含んだ空気Ａが導入されると、該空気Ａは上記吸気ボックス６３の周胴部６５における内壁面６９と、上記整流板７１とによって案内されて、吸気ファン１１の回転方向に沿った旋回流となって吸気ファン１１の吸気口３５内に供給される。
したがって、ファンケーシング１０７の中心部での急激な圧力変動によって生ずる圧力騒音、空気Ａが回転羽根２９に直角方向から勢いよく衝突することによって生ずる衝突騒音及び気流の乱れや渦流によって生ずる乱流騒音が格段に小さくなる。
【００２５】
又、吸気ファン１１の吸気口３５には吸音材が設けられていないから、吸音材を設けることによって生ずる吸気ファン１１の吸気流量の低下も生じない。又、整流板７１を吸気ボックス６３内に設けることによって吸気ボックス６３内での遠心力の発生が防止され、吸気ボックス６３中心部での気圧の低下が生じないから吸気ファン１１の所望の風量と静圧が維持される。又、作業員が吸気ファン１１の回転羽根２９に付着・堆積したアスベスト等の粉塵Ｂを取り除こうとして導入管路６７に手を入れたとしても上記整流板７１が邪魔になってそれ以上奥に手を入れることはできないから回転羽根２９との接触は生じない。
【００２６】
又、下記の表１は従来の吸気ファン用サイレンサーと本考案にかかる吸気ファン用サイレンサーの消音効果を比較するために行った試験結果を示している。尚、この試験ではプレートファン式の吸気ファンを使用し、３．７ｋｗのモータを使用して騒音源からの距離１ｍでの消音レベルを各中心周波数ごとに分けて測定し、両者の差を求めて消音効果を検証した。
表１から明らかなようにほとんどの中心周波数帯域で本考案の吸気ファン用サイレンサー６１の方が消音効果が高く、特に８ｋＨｚ以上の高い中心周波数帯域において顕著な効果が認められた。
【００２７】
【表１】
0003121901.tif 000003
【００２８】
尚、本考案は上述した実施の形態に限定されるものではない。
例えば、本考案の吸気ファン用サイレンサー６１はアスベスト等粉塵用集塵機１に使用されている吸気ファン１１に限定されるものではなく、種々の用途に使用されている種々のタイプの吸気ファン１１に対して適用可能である。又、導入管路６７や吸気ボックス６３の口径或いは整流板７１の湾曲部の曲率は適宜変更でき、空気Ａに含まれる粉塵Ｂの粒径や粉塵塊Ｇの大きさに応じて最適な口径乃至曲率に変更することが可能である。
【産業上の利用可能性】
【００２９】
本考案は、種々の用途に使用されている種々のタイプの吸気ファンの使用分野や製造分野等で利用でき、特に天井や壁面に吹き付けられたアスベスト等の有害粉塵の除去、回収を行っている作業現場において使用されているアスベスト等粉塵用集塵機を快適且つ安全に使用したい場合に利用可能性を有する。
【図面の簡単な説明】
【００３０】
【図１】本考案の一実施の形態を示す図で、アスベスト等粉塵用集塵機の使用状態を示す斜視図である。
【図２】本考案の一実施の形態を示す図で、アスベスト等粉塵用集塵機を示す斜視図である。
【図３】本考案の一実施の形態を示す図で、アスベスト等粉塵用集塵機を示す正面図である。
【図４】本考案の一実施の形態を示す図で、アスベスト等粉塵用集塵機を示す右側面図である。
【図５】本考案の一実施の形態を示す図で、ドラムを示す斜視図である。
【図６】本考案の一実施の形態を示す図で、吸気ファン周辺の拡大図である。
【図７】本考案の一実施の形態を示す図で、吸気ファン用サイレンサーを示す斜視図である。
【図８】本考案の一実施の形態を示す図で、吸気ファン用サイレンサーを示す平面図である。
【図９】本考案の一実施の形態を示す図で、吸気ファン用サイレンサーを示す背面図である。
【図１０】本考案の一実施の形態を示す図で、吸気ファン用サイレンサーを示す左側面図である。
【図１１】本考案の一実施の形態を示す図で、吸気ファン用サイレンサーを示す右側面図である。
【図１２】本考案の一実施の形態を示す図で、吸気ファン用サイレンサーの構造を模式的に示す正断面図（ａ）と、側断面図（ｂ）である。
【図１３】従来例を示す図で、吸気ファン用サイレンサーの構造を模式的に示す正断面図（ａ）と、側断面図（ｂ）である。
【符号の説明】
【００３１】
１  アスベスト等粉塵用集塵機
３  集塵機枠体
５  ドラム
７  フィルタ
９  袋体
１１  吸気ファン
１３  周胴部
１５  流入ダクト
１７  開口部
１９  大筒部（取付筒部）
２１  小筒部（取付筒部）
２３  吊持アーム
２５  水平部
２７  吊下げフック
２９  回転羽根
３１  エッジ部
３３  モータ（駆動手段）
３５  吸気口
３７  ファンケーシング
３８  排気口
３９  中継ダクト
４１  吸込配管具
４３  配管部
４５  吸込部
４９  サイレンサー
５１  移動台車
５３  載置部
５５  キャスタ
５７  移動用取手
５８  コントロールボックス
５９  スイッチ
６１  吸気ファン用サイレンサー
６３  吸気ボックス
６５  周胴部
６７  導入管路
６９  内壁面
７１  整流板
Ａ  空気
Ｂ  粉塵
Ｇ  粉塵塊
【図１】
0003121901.tif 000004
【図２】
0003121901.tif 000005
【図３】
0003121901.tif 000006
【図４】
0003121901.tif 000007
【図５】
0003121901.tif 000008
【図６】
0003121901.tif 000009
【図７】
0003121901.tif 000010
【図８】
0003121901.tif 000011
【図９】
0003121901.tif 000012
【図１０】
0003121901.tif 000013
【図１１】
0003121901.tif 000014
【図１２】
0003121901.tif 000015
【図１３】
0003121901.tif 000016